(57)【要約】      （修正有）【課題】重度の痴呆症を持ち、かつベッド柵を跨ぐ体力がないためにベッド柵を引き抜いてベッドから逃亡するような身体能力の低い徘徊者を検出し、逃亡に失敗した患者がベッドから転落することを防止することができるナースコールシステムの提供。【解決手段】ベッドサイドに備えられ、患者の転落を防止するために設置されたベッド柵５１と、ベッド柵５１がベッドから取り外されたことを検知して検知信号を送信するベッド柵センサ４を備えて、ベッド柵が抜かれた際にナースコール親機で警報を行うナースコールシステム。【選択図】図１
2013202262.tif 000002
【特許請求の範囲】
【請求項１】
病室のそれぞれのベッド（５）の近傍に設置されたナースコール子機（３ａ、３ｂ、・・・）からの呼出信号をナースステーションに設置されたナースコール親機（１）に報知／表示させるナースコールシステムであって、
前記ベッドには、ベッドに入院している患者の転落を防止するためにベッドの少なくとも１辺に設置されるベッド柵（５１）と、前記ベッド柵が前記ベッドから取り外されたことを検知して検知信号を送信するベッド柵センサ（４）を備え、
前記ナースコール子機には、患者が前記ナースコール親機の近傍にいる看護師を呼び出すための呼出ボタン（３１）と、前記呼出ボタンの操作により呼び出された看護師が前記ナースコール親機で応答した際に当該看護師と通話を行なうための通話部（３４）と、看護師がベッドまで来て対応を完了した旨を前記ナースコール親機に通知するための復旧ボタン（３２）と、前記検知信号を基に警報を報知するとともに前記復旧ボタンの操作により警報の報知を停止する警報部（３３）と、前記検知信号を受信してから一定時間内に前記復旧ボタンが操作されなかった場合には前記ナースコール親機に対して前記検知信号を送信するとともに、前記検知信号を受信してから一定時間内に前記復旧ボタンが操作された場合には前記ナースコール親機に対して前記検知信号の送信を抑止する子機ＣＰＵ（３５）とを備えたことを特徴とするナースコールシステム。
【請求項２】
前記ナースコール親機と前記ナースコール子機は、病室の入口に設置された廊下灯（２ａ、２ｂ、・・・）を介して接続され、前記廊下灯は前記検知信号を受信すると点灯する表示灯（２１）を備えたことを特徴とする請求項１記載のナースコールシステム。
【請求項３】
前記ベッド柵センサは、前記ベッドに前記ベッド柵の柱部が挿入されているか否かを検知するための発光部（４１）と受光部（４２）を有し、前記受光部で前記発光部からの光が受光できると、前記ベッド柵の柱部が挿入されていないとみなして検知信号を送信するセンサＣＰＵ（４３）とを備えたことを特徴とする請求項１記載のナースコールシステム。
【請求項４】
前記子機ＣＰＵは、前記復旧ボタンの操作を検出してから一定時間内に前記検知信号を受信した場合には前記ナースコール親機に対して前記検知信号の送信を抑止することを特徴とする請求項１記載のナースコールシステム。
【発明の詳細な説明】
【技術分野】
【０００１】
本発明は、病院等の医療施設に設置されるナースコールシステムに係り、特に、徘徊癖のある痴呆患者が脱走のためにベッド柵を引き抜くことを検知して、ベッドからの脱走や転落を未然に防ぐナースコールシステムに関する。
【背景技術】
【０００２】
従来から、この種のナースコールシステムとして、患者の脱走をマットやカメラにより検知して、ナースコール親機に報知するナースコールシステムが記載されている。例えば、特許文献１では、ベッド使用者がベッドから離れたことを検知し離床信号を出力する圧力感知マットと、圧力感知マットからの離床信号を受信し外部に注意信号を表示する外部表示手段とを備えている。また、特許文献２では、赤外線カメラの映像を画像処理して、被介護人がベッドやトイレ以外の領域を徘徊するような異常状態を検出すると、その異常状態を示す検出信号を発生する。
【先行技術文献】
【特許文献】
【０００３】
【特許文献１】特開平１０−９４５２５号公報
【特許文献２】特開平１１−３３８９４１号公報
【発明の概要】
【発明が解決しようとする課題】
【０００４】
しかしながら、従来のナースコールシステムでは、カメラの設置には高額な設備が必要となり、またマットを使用した方式では耐久性、信頼性に問題があることから、これらの脱走検知システムは普及が進んでいなかった。
【０００５】
本発明は、上述の難点を解消するためになされたもので、特に重度の痴呆症を持ち、かつベッド柵を跨ぐ体力がないためにベッド柵を引き抜いてベッドから逃亡するような身体能力の低い徘徊者を検出するために、ベッド柵がベッドから取り外されたことを検知して検知信号を送信するベッド柵センサを用いることで、患者の徘徊を検知することができるとともに、逃亡に失敗した患者がベッドから転落することを防止することができる。
【課題を解決するための手段】
【０００６】
この目的を達成するため、本発明によるナースコールシステムは、病室のそれぞれのベッドの近傍に設置されたナースコール子機からの呼出信号をナースステーションに設置されたナースコール親機に報知／表示させるナースコールシステムであって、ベッドには、ベッドに入院している患者の転落を防止するためにベッドの少なくとも１辺に設置されるベッド柵と、ベッド柵がベッドから取り外されたことを検知して検知信号を送信するベッド柵センサを備え、ナースコール子機には、患者がナースコール親機の近傍にいる看護師を呼び出すための呼出ボタンと、呼出ボタンの操作により呼び出された看護師がナースコール親機で応答した際に当該看護師と通話を行なうための通話部と、看護師がベッドまで来て対応を完了した旨をナースコール親機に通知するための復旧ボタンと、検知信号を基に警報を報知するとともに復旧ボタンの操作により警報の報知を停止する警報部と、検知信号を受信してから一定時間内に復旧ボタンが操作されなかった場合にはナースコール親機に対して検知信号を送信するとともに、検知信号を受信してから一定時間内に復旧ボタンが操作された場合にはナースコール親機に対して検知信号の送信を抑止する子機ＣＰＵとを備えたものである。
【０００７】
また、本発明によるナースコールシステムは、ナースコール親機とナースコール子機は、病室の入口に設置された廊下灯を介して接続され、廊下灯は検知信号を受信すると点灯する表示灯を備えたものである。
【０００８】
また、本発明によるナースコールシステムのベッド柵センサは、ベッドにベッド柵の柱部が挿入されているか否かを検知するための発光部と受光部を有し、受光部で発光部からの光が受光できると、ベッド柵の柱部が挿入されていないとみなして検知信号を送信するセンサＣＰＵとを備えたものである。
【０００９】
また、本発明によるナースコールシステムの子機ＣＰＵは、復旧ボタンの操作を検出してから一定時間内に検知信号を受信した場合にはナースコール親機に対して検知信号の送信を抑止するものである。
【発明の効果】
【００１０】
請求項１のナースコールシステムによれば、患者がベッドから離床する前にナースコール親機に通知がなされるため、徘徊の早期発見が可能となるとともに、身体能力の低い患者が離床に失敗してベッド柵を抜いた状態で床面に転落することを未然に防止することができ、また、看護師が看護業務のためにベッド柵を抜いた場合には、復旧ボタンの操作のみでナースコール親機への報知を抑止することができるため、誤報を防止することができる。
【００１１】
また、請求項２のナースコールシステムによれば、廊下灯でベッド柵が抜かれたことを通知できるため、最寄の看護師が駆けつけることによって患者の徘徊や転落を未然に防止することができる。
【００１２】
また、請求項３のナースコールシステムによれば、ベッド本体の光学センサを用いてベッド柵の検知を行なうため、物理的な故障が少ないとともに、ベッド柵側の加工が不要となる。
【００１３】
また、請求項４のナースコールシステムによれば、看護師がベッド柵を抜く前に事前に復旧ボタンを操作しておくことで、ベッド柵を抜いて直ちに復旧ボタンを操作するという繁雑な操作を行なうことなく、時間をかけてベッド柵を抜くことができ、確実に誤報を防止することができる。
【図面の簡単な説明】
【００１４】
【図１】図１は、本発明の実施例によるナースコールシステムの全体（外観）構成を示す構成図である。
【図２】図２は、本発明の実施例によるナースコールシステムにおいて、ナースコール子機、ベッド柵センサ、ベッド柵の具体的な構成を示すブロック図である。
【発明を実施するための形態】
【００１５】
以下、本発明のナースコールシステムを適用した最良の実施の形態例について、図面を参照して説明する。図１は、本発明の一実施例によるナースコールシステムの全体構成を示す構成図であり、看護師を呼び出すために病室内のベッドの近傍にそれぞれ設置される複数のナースコール子機３ａ、３ｂ、・・・と、ナースステーション内に設置され病室からの呼出信号を受信して呼出報知を行なうナースコール親機１と、病室出入口の廊下に設置されてナースコール子機の信号をナースコール親機に伝送するとともにナースコール子機の呼出信号を報知する廊下灯２ａ、２ｂ、・・・と、病室のベッド５のベッドサイドから患者が転落することを防止するために設置されたベッド柵５１の取り外しを検知するベッド柵センサ４とで構成されている。
【００１６】
ナースコール親機１には、廊下灯２ａを介してナースコール子機３ａ、３ｂ、・・・が接続されている。
【００１７】
なお、廊下灯２ｂ、・・・にも、図示しないナースコール子機が接続されている。
【００１８】
ナースコール子機３ａ、３ｂ、・・・には、ベッド柵センサが接続されている。
【００１９】
ナースコール親機１には、廊下灯を介して接続されているナースコール子機が備えられたベッドに入院している患者を表示するためのコンピュータディスプレイ等の表示部１１３と、当該入院している患者を選択して通話を行なうために、ディスプレイ上に備えられているタッチパネル等の選局部１１１と、ナースコール親機１の各部を制御する親機ＣＰＵ１１２を有している。
【００２０】
図２はナースコール子機３ａ、ベッド柵センサ４、ベッド柵５１の具体的な構成を示すブロック図であり、ナースコール子機３ａには患者が看護師を呼び出す呼出ボタン３１と、呼出ボタン３１の操作により呼び出された看護師がナースコール親機１で応答した際に当該看護師と通話を行なうための通話部３４と、看護師がベッドまで来て対応を完了した旨をナースコール親機に通知するための復旧ボタン３２と、ベッド柵センサ４からの検知信号を基に警報を報知する警報部としての警報スピーカ３３と、ナースコール子機３ａの各部を制御するとともに、廊下灯２ａ、ベッド柵センサ４と通信を行なう子機ＣＰＵ３５とを備えている。
【００２１】
ベッド柵センサ４は、ベッド柵５１が挿入される溝部４４に対して赤外光、可視光等の光を発光する発光部４１と、発光部４１から見て溝部４４の対面に位置し、発光部４１からの光を受光する受光部４２と、発光部４１、受光部４２を制御するとともに、ベッド柵５１が検知できなくなった際に検知信号を送信するセンサＣＰＵ４３とを備えている。
【００２２】
このように構成された本発明の一実施例によるナースコールシステムにおいて、以下、その動作について説明する。
【実施例１】
【００２３】
図１の構成図及び図２のブロック図において、看護師を呼び出したい患者は、ナースコール子機３ａの呼出ボタン３１を操作すると、呼出ボタン３１の操作を検出した子機ＣＰＵ３５により、呼出信号が廊下灯２ａを介してナースコール親機１に送信される。ナースコール親機１の親機ＣＰＵ１１２は、図示しない放音部で呼出音を鳴動させるとともに、表示部１１３にナースコール子機３ａからの呼出を通知する。
【００２４】
ナースコール親機１による呼出通知を認識した看護師は、ナースコール親機１の図示しない通話部でナースコール子機３ａの通話部３４との通話路を確立して通話を行なうとともに、通話終了後に病室の患者のもとへ駆けつけ、ナースコール子機３ａの復旧ボタン３２を操作して表示部１１３の表示を削除して、他の看護師が当該患者への対応を行なわなくてもよいことを通知する。
【００２５】
次に、患者が逃亡しようとしてベッド柵を抜こうとした時のナースコールシステムの動作について説明する。通常時において、ベッド柵センサ４の発光部４１は常時、あるいは間欠的に発光動作を継続しており、受光部４２は溝部４４にベッド柵５１の柱部が挿入されていることから、発光部４１の光は遮断され、検知することがない。
【００２６】
身体能力の低い患者は、ベッド柵５１を跨ぐことができないため、ベッド５からベッド柵５１を引き抜き、転がり落ちるようにベッドから逃亡しようとする。
【００２７】
ベッド５からベッド柵５１が引き抜かれると、ベッド柵センサ４の溝部４４からベッド柵５１の柱部が引き抜かれることにより、受光部４２は発光部４１の光を検知し、検知信号をセンサＣＰＵ４３に送信する。検知信号を受信したセンサＣＰＵ４３は、当該検知信号をナースコール子機３ａに送信する。
【００２８】
検知信号を受信したナースコール子機３ａの子機ＣＰＵ３５は、警報スピーカ３３を鳴動してベッド柵５１が引き抜かれたことを報知する。このとき、例えばベッド柵５１が看護師の看護業務のために引き抜かれたなど、患者以外の操作による場合には、復旧ボタン３２を操作すると、復旧ボタン３２の操作を検出した子機ＣＰＵ３５により、警報スピーカ３３からの鳴動は停止する。
【００２９】
また、子機ＣＰＵ３５は、警報スピーカ３３の鳴動から一定時間、例えば１０秒間復旧ボタン３２の操作がないことを検出すると、患者による逃亡行為が発生したと認識して、検知信号が廊下灯２ａを介してナースコール親機１に送信される。ナースコール親機１の親機ＣＰＵ１１２は、図示しない放音部で警報音を鳴動させるとともに、表示部１１３にナースコール子機３ａでベッド柵が抜かれ、患者が逃亡しようとしていることを通知する。さらに親機ＣＰＵ１１２は、廊下灯２ａの表示灯２１を点灯させ、ナースステーション外にいる看護師にも通知を行ない、看護師が迅速にベッド５に到達できるようにする。
【００３０】
ナースコール子機３ａのベッド５に到着した看護師は、患者を保護するとともに、ベッド柵５１をベッド５に戻すと、発光部４１の発光信号が受光部４２に届かなくなることにより、センサＣＰＵ４３からの検知信号が停止する。
【００３１】
センサＣＰＵ４３からの検知信号が停止したことを認識した子機ＣＰＵ３５は、警報スピーカ３３からの鳴動を停止するとともに、ナースコール親機１に復旧信号を送信する。なお、ベッド柵５１をベッド５に戻す方法のほかに、復旧ボタン３２を操作した場合にも子機ＣＰＵ３５は検知信号を停止させた場合と同様の動作を行なう。
【００３２】
ナースコール親機１の親機ＣＰＵ１１２は、復旧信号により警報音を停止させるとともに、表示部１１３の通知、及び廊下灯２ａの表示灯２１を復旧する。
【実施例２】
【００３３】
第２の実施例として、看護業務のために看護師がベッド柵５１を引き抜く際に、警報音が鳴動しないように事前に復旧ボタン３２を操作した場合について説明する。
【００３４】
待受け状態で復旧ボタン３２を操作すると、復旧ボタン３２の操作を検出した子機ＣＰＵ３５により、一定時間、例えば３０秒間のタイマが起動する。このタイマ継続中の時間内に看護師がベッド柵５１を引き抜くと、ベッド柵センサ４は第１の実施例と同様に検知信号をナースコール子機３ａに送信する。検知信号を受信したナースコール子機３ａの子機ＣＰＵ３５は、３０秒間のタイマが継続していることを認識し、警報スピーカ３３からの鳴動及び検知信号のナースコール親機１への送信は抑止される。
【００３５】
なお、本実施例ではベッド柵センサに光学的検知を用いているが、これに限らず、機械式スイッチや磁気的手段によって検知を行なうことも好適である。また、本実施例ではベッド柵センサとナースコール子機の接続方法については言及していないが、これらの接続方式は無線、有線いずれも使用することが可能である。
【符号の説明】
【００３６】
１  ナースコール親機
２ａ、２ｂ  廊下灯
２１  表示灯
３ａ、３ｂ  ナースコール子機
３１  呼出ボタン
３２  復旧ボタン
３３  警報部
３４  通話部
３５  子機ＣＰＵ
４  ベッド柵センサ
４１  発光部
４２  受光部
４３  センサＣＰＵ
５  ベッド
５１  ベッド柵
【図１】
2013202262.tif 000003
【図２】
2013202262.tif 000004